(57)【要約】【課題】レンズ群の位置を調整して容易にピント調整を行うことができ、小型且つ部品点数の少ない撮像装置を提供する。【解決手段】前側レンズ群１０を外側鏡筒１にて保持し、後側レンズ群１５を内側鏡筒２０にて保持し、内側鏡筒２０が軸心方向に摺動可能となるように外側鏡筒１内に収容する。また、内側鏡筒２０には複数の操作部２３を設け、外側鏡筒１には撮像素子３１が配された基板３２を支持する四角支持部５及び三角支持部６を設ける。基板３２が支持された状態で操作部２３が基板３２の後ろ側に延出するようにする。操作部２３を操作してピント調整をした後、操作部２３を三角支持部６に溶着して外側鏡筒１及び内側鏡筒２０を固定する。【選択図】図６
2008090180.tif 000002
【特許請求の範囲】
【請求項１】
複数のレンズと、該レンズを介して撮像を行う撮像素子とを備える撮像装置において、
一又は複数のレンズよりなる前側レンズ群を保持する第１鏡筒と、
該第１鏡筒に対して軸心方向に摺動可能に、前記第１鏡筒に同軸的に内嵌又は外嵌し、一又は複数のレンズよりなる後側レンズ群を保持する第２鏡筒と、
前記第１鏡筒又は前記第２鏡筒のうちの内側の鏡筒に設けられ、外側の鏡筒に対して前記内側の鏡筒を摺動させる操作部と
を備えることを特徴とする撮像装置。
【請求項２】
前記撮像素子が配設された基板を備え、
前記外側の鏡筒は、前記基板を支持する支持部を有し、
前記内側の鏡筒は、前記支持部に支持された前記基板に近接／離隔する方向に、前記外側の鏡筒に対して摺動するようにしてあり、
前記操作部は、前記支持部に支持された前記基板より後側に延出するように設けてある請求項１に記載の撮像装置。
【請求項３】
前記第１鏡筒及び前記第２鏡筒は合成樹脂製であり、
前記第１鏡筒又は前記第２鏡筒のうちの内側の鏡筒に設けられた前記操作部を外側の鏡筒に溶着させて、前記内側の鏡筒を前記外側の鏡筒に不動に固定するようにしてある請求項１又は請求項２に記載の撮像装置。
【請求項４】
前記第１鏡筒及び前記第２鏡筒は合成樹脂製であり、
前記第１鏡筒又は前記第２鏡筒のうちの内側の鏡筒に設けられた前記操作部を外側の鏡筒に設けられた前記支持部に溶着させて、前記内側の鏡筒を前記外側の鏡筒に不動に固定するようにしてあり、
前記操作部の前記支持部への溶着に伴って生じる前記操作部の変形により、前記基板を前記操作部及び前記支持部で挟持するようにしてある請求項２に記載の撮像装置。
【請求項５】
前記操作部は、前記内側の鏡筒に複数設けてある請求項１乃至請求項４のいずれか１つに記載の撮像装置。
【請求項６】
前記第１鏡筒及び前記第２鏡筒は、軸心に直交する方向での断面形状が非円形である請求項１乃至請求項５のいずれか１つに記載の撮像装置。
【発明の詳細な説明】
【技術分野】
【０００１】
本発明は、撮像素子及び複数のレンズを有し、例えば車両の外界を撮像する場合などに用いられる小型の撮像装置に関する。
【背景技術】
【０００２】
従来、車両に撮像装置を搭載し、撮像装置が撮像して取得した画像を車内に設けられたディスプレイに表示することによって、運転者へ種々の情報を提供するシステムが実用化されている。例えば、車両の運転席から死角となる部分を撮像装置により撮像することによって、運転者が直接に目視できない部分をディスプレイに表示することができるため、事故を未然に防ぐことが可能となる。これらの撮像装置は例えば車両のバンパー近傍などに搭載されるため、車両の美観を損なうことがないように撮像装置はできるだけ小型であることが望まれる。
【０００３】
図９は、従来の撮像装置の構成を示す模式的断面図である。図において１０１は略円筒形をなす外側鏡筒であり、１１１は略円筒形をなす内側鏡筒である。外側鏡筒１０１には、一側（以下、前側とする）端部近傍の内周面に前側レンズ群１０５が固定されて保持されており、内周面の略中央から他側（以下、後側とする）にかけて雌ネジ部１０２が形成してある。内側鏡筒１１１には、内周面に後側レンズ群１１５が固定されて保持されており、外周面の前側端部から略中央部にかけて雌ネジ部１０２に螺合する雄ネジ部１１２が形成してある。雌ネジ部１０２及び雄ネジ部１１２により、内側鏡筒１１１を外側鏡筒１０１内に螺合させて収容することができると共に、内側鏡筒１１１を外側鏡筒１０１に対して軸心方向に移動させることができるようにしてある。外側鏡筒１０１の後側端には、外周面から内周面に貫通するネジ穴が形成してあり、このネジ穴にネジ１３６を螺合させて貫通させ、外側鏡筒１０１に螺合した内側鏡筒１１１の外周面にネジ１３６の先端部分を当接させることによって、内側鏡筒１１１を外側鏡筒１０１に対して不動に固定するようにしてある。また、内側鏡筒１１１の後側端部には、外周面の一周に亘って鍔状の操作部１１３が設けてあり、内側鏡筒１１１を外側鏡筒１０１に螺合させる際の回転操作を行いやすくしてある。
【０００４】
また、外側鏡筒１０１には、ネジ１３６が螺合するネジ穴より前側に、軸心に略垂直に外周面の一周に亘って、略円板型の鍔状をなす前側カバー１２１が設けてある。前側カバー１２１の後側の面には、略円柱形の複数のボス１２３が軸心に略平行に立設してあり、撮像素子１３１を搭載した基板１３２がボス１２３にネジ１３５を用いて固定してある。また、基板１３２の後面を覆う後側カバー１２２が、外側鏡筒１０１に設けられた前側カバー１２１にネジ止め又は接着等により固定してあり、撮像素子内に水滴などが侵入することを防止している。
【０００５】
以上の構成の従来の撮像装置においては、操作部１１３を操作して内側鏡筒１１１を回転させることによって、内側鏡筒１１１を外側鏡筒１０１の軸心方向に移動させることができるため、前側レンズ群１０５と後側レンズ群１１５との位置を調整して簡単にピント調整を行うことができるという利点がある。特許文献１においては、図９に示す従来の撮像装置と同様の構成をなし、光軸及び焦点の調整が容易で、安価な構造のカメラ装置が提案されている。
【特許文献１】特開２００５−７０５０５号公報
【発明の開示】
【発明が解決しようとする課題】
【０００６】
しかしながら、図９に示す従来の撮像装置では、内側鏡筒１１１を外側鏡筒１０１に螺合させる必要があるため、内側鏡筒１１１及び外側鏡筒１０１が共に円筒形をなしている必要がある。車両に搭載される撮像装置の場合、外側鏡筒１０１に保持される前側レンズ群１０５のレンズは広い視野を確保するために大型のレンズであることが多い。撮像装置を小型化するためにこのレンズの不要な部分を切り欠いて非円形のレンズとすることができるが、この場合には外側鏡筒１０１の断面形状を非円形とする必要があるため、内側鏡筒１１１と螺合させることができないという問題がある。
【０００７】
また、従来の撮像装置は、内側鏡筒１１１及び外側鏡筒１０１の固定をネジ１３６により行う構成であり、ネジ止めを行う機構を設ける必要があるため、この機構が撮像装置の小型化を阻害していた。更に、ネジ１３６を用いることによる部品点数の増加が、コストの増加を招来するという問題もあった。なお、特許文献１に記載のカメラ装置についても同様の問題を有している。
【０００８】
本発明は、斯かる事情に鑑みてなされたものであって、その目的とするところは、前側レンズ群を保持する第１鏡筒に後側レンズ群を保持する第２鏡筒を軸心方向に摺動可能に内嵌又は外嵌し、第１鏡筒又は第２鏡筒のうち内側の鏡筒に摺動を行うための操作部を設ける構成とすることにより、内側の鏡筒及び外側の鏡筒が非円筒形の場合であっても、前側レンズ群及び後側レンズ群の位置を調整してピント調整を行うことができる撮像装置を提供することにある。
【０００９】
また本発明の他の目的とするところは、撮像素子が搭載された基板を支持する支持部を外側の鏡筒に設け、支持部に支持された基板に近接／離隔するように内側の鏡筒を摺動可能とすると共に、内側の鏡筒の操作部を基板より後側に延出するように設ける構成とすることにより、基板を外側の鏡筒にて支持した後であっても、内側の鏡筒の操作部を操作してピント調整を行うことができる撮像装置を提供することにある。
【００１０】
また本発明の他の目的とするところは、第１鏡筒及び第２鏡筒を合成樹脂製とし、ピント調整後に内側の鏡筒に設けられた操作部を外側の鏡筒に溶着して固定する構成とすることにより、第１鏡筒及び第２鏡筒を不動に固定するためのネジなどが必要なく、部品点数を抑制できる撮像装置を提供することにある。
【００１１】
また本発明の他の目的とするところは、第１鏡筒及び第２鏡筒を合成樹脂製とし、ピント調整後に内側の鏡筒に設けられた操作部を外側の鏡筒に設けられた支持部に溶着して固定し、溶着に伴って生じる操作部の変形により基板を操作部及び支持部で挟持する構成とすることにより、第１の鏡筒及び第２の鏡筒を固定するためのネジ及び基板を固定するためのネジ等が必要なく、部品点数を抑制できる撮像装置を提供することにある。
【００１２】
また本発明の他の目的とするところは、内側の鏡筒を摺動させるための操作部を複数設ける構成とすることにより、外側の鏡筒に対する内側の鏡筒の摺動、及び操作部の外側の鏡筒への溶着等が行いやすい撮像装置を提供することにある。
【００１３】
また本発明の他の目的とするところは、第１鏡筒及び第２鏡筒の断面形状を非円形とすることにより、非円形のレンズの保持に適し、小型化することができる撮像装置を提供することにある。
【課題を解決するための手段】
【００１４】
第１発明に係る撮像装置は、複数のレンズと、該レンズを介して撮像を行う撮像素子とを備える撮像装置において、一又は複数のレンズよりなる前側レンズ群を保持する第１鏡筒と、該第１鏡筒に対して軸心方向に摺動可能に、前記第１鏡筒に同軸的に内嵌又は外嵌し、一又は複数のレンズよりなる後側レンズ群を保持する第２鏡筒と、前記第１鏡筒又は前記第２鏡筒のうちの内側の鏡筒に設けられ、外側の鏡筒に対して前記内側の鏡筒を摺動させる操作部とを備えることを特徴とする。
【００１５】
本発明においては、前側レンズ群を第１鏡筒にて保持し、後側レンズ群を第２鏡筒で保持し、第２鏡筒が軸心方向に摺動可能となるように第１鏡筒に内嵌又は外嵌する。また、第１鏡筒又は第２鏡筒のうちの内側の鏡筒には摺動を操作するための操作部を設ける。これにより、操作部を操作して内側の鏡筒を摺動させ、前側レンズ群と後側レンズ群の軸心方向の位置調整を行うことができるため、内側の鏡筒の軸心方向への摺動によりピント調整を行うことができる。従来の撮像装置のように回転操作を行う必要がないため、第１鏡筒及び第２鏡筒を非円形とすることが可能となる。
【００１６】
また、第２発明に係る撮像装置は、前記撮像素子が配設された基板を備え、前記外側の鏡筒は、前記基板を支持する支持部を有し、前記内側の鏡筒は、前記支持部に支持された前記基板に近接／離隔する方向に、前記外側の鏡筒に対して摺動するようにしてあり、前記操作部は、前記支持部に支持された前記基板より後側に延出するように設けてあることを特徴とする。
【００１７】
本発明においては、撮像装置が配設された基板を外側の鏡筒に設けられた支持部にて支持する。内側の鏡筒は、外側の鏡筒の支持部に支持された基板に近接／離隔する方向に摺動可能とする。このとき、内側の鏡筒の操作部は支持部に支持された基板より後側に延出するように設ける。これにより、外側の鏡筒の支持部にて基板が支持された後であっても、操作部を操作して内側の鏡筒を摺動させることができ、前側レンズ群、後側レンズ群及び撮像素子の位置を調整してピント調整を行うことができる。
【００１８】
また、第３発明に係る撮像装置は、前記第１鏡筒及び前記第２鏡筒が合成樹脂製であり、前記第１鏡筒又は前記第２鏡筒のうちの内側の鏡筒に設けられた前記操作部を外側の鏡筒に溶着させて、前記内側の鏡筒を前記外側の鏡筒に不動に固定するようにしてあることを特徴とする。
【００１９】
本発明においては、第１鏡筒及び第２鏡筒を合成樹脂製とする。これにより、第１鏡筒と第２鏡筒とを溶着させることが可能となるため、内側の鏡筒に設けられた操作部を外側の鏡筒に溶着させ、内側の鏡筒を外側の鏡筒に対して不動に固定する。内側の鏡筒を摺動してピント調整を完了した後、外側の鏡筒と内側の鏡筒とを固定する必要があるが、固定のためにネジなどの別部材を用いる必要がなくなる。
【００２０】
また、第４発明に係る撮像装置は、前記第１鏡筒及び前記第２鏡筒が合成樹脂製であり、前記第１鏡筒又は前記第２鏡筒のうちの内側の鏡筒に設けられた前記操作部を外側の鏡筒に設けられた前記支持部に溶着させて、前記内側の鏡筒を前記外側の鏡筒に不動に固定するようにしてあり、前記操作部の前記支持部への溶着に伴って生じる前記操作部の変形により、前記基板を前記操作部及び前記支持部で挟持するようにしてあることを特徴とする。
【００２１】
本発明においては、第１鏡筒及び第２鏡筒を合成樹脂製とする。これにより、第１鏡筒と第２鏡筒とを溶着させることが可能となるため、内側の鏡筒に設けられた操作部を外側の鏡筒に設けられた支持部に溶着させて固定する。また、溶着を行う際に操作部を変形させて、外側の鏡筒の支持部に支持された基板を、支持部と変形させた操作部との間で挟持し、不動に固定する。ピント調整を完了した後、外側の鏡筒、内側の鏡筒及び基板を固定する必要があるが、固定のためにネジなどの別部材を用いる必要がなくなる。また、操作部の溶着に伴って外側の鏡筒、内側の鏡筒及び基板を固定することができるため、製造工程を簡略化できる。
【００２２】
また、第５発明に係る撮像装置は、前記操作部が、前記内側の鏡筒に複数設けてあることを特徴とする。
【００２３】
本発明においては、内側の鏡筒に摺動の操作を行うための操作部を複数設ける。内側の鏡筒を摺動させてピント調整を行う場合に操作が行いやすくなる。更に、操作部を外側の鏡筒に溶着させる場合には、ピントにずれが生じないように一の操作部を保持した状態で他の操作部を溶着させることができ、溶着作業によりピントにずれが生じることがない。
【００２４】
また、第６発明に係る撮像装置は、前記第１鏡筒及び前記第２鏡筒が、軸心に直交する方向での断面形状が非円形であることを特徴とする。
【００２５】
本発明においては、第１鏡筒及び第２鏡筒の断面形状を非円形とする。車両に搭載される撮像装置の場合、第１鏡筒に保持される前側レンズ群のレンズは広い視野を確保するために大型のレンズであることが多く、このレンズの不要な部分を切り欠いて非円形のレンズとすることによって、撮像装置を小型化することが可能である。このとき、撮像装置を小型化するためには、非円形のレンズを保持する第１鏡筒を非円形とする必要があるが、上述のように第１鏡筒及び第２鏡筒を摺動してピント調整を行う機構とすることによって、第１鏡筒及び第２鏡筒を非円形とすることが可能となり、撮像装置を小型化することができる。
【発明の効果】
【００２６】
第１発明による場合は、前側レンズ群を保持する第１鏡筒に後側レンズ群を保持する第２鏡筒を軸心方向に摺動可能に内嵌又は外嵌し、第１鏡筒又は第２鏡筒のうち内側の鏡筒に摺動を行うための操作部を設ける構成とすることにより、操作部を操作して内側の鏡筒を摺動させることでピント調整を行うことができるため、第１鏡筒及び第２鏡筒を非円筒形とすることが可能となり、レンズの形状を非円形として撮像装置を小型化することができる。
【００２７】
また、第２発明による場合は、撮像素子が搭載された基板を支持する支持部を外側の鏡筒に設け、支持部に支持された基板に近接／離隔するように内側の鏡筒を摺動可能とすると共に、内側の鏡筒の操作部を基板より後側に延出するように設ける構成とすることにより、基板を外側の鏡筒の支持部にて支持した後であっても、操作部を操作して内側の鏡筒を摺動させることができるため、撮像装置の製造又は組立工程等にてピント調整が行いやすく、製造コスト又は組立コスト等を低減できる。
【００２８】
また、第３発明による場合は、第１鏡筒及び第２鏡筒を合成樹脂製とし、内側の鏡筒に設けられた操作部を外側の鏡筒に溶着させ、内側の鏡筒を外側の鏡筒に対して不動に固定する構成とすることにより、外側の鏡筒及び内側の鏡筒の固定のためにネジなどの別部材を用いる必要がないため、部品点数を抑制でき、撮像装置のコストを低減できる。また、ネジ止めのための機構を撮像装置に設ける必要がないため、撮像装置を小型化することができる。
【００２９】
また、第４発明による場合は、第１鏡筒及び第２鏡筒を合成樹脂製とし、内側の鏡筒に設けられた操作部を外側の鏡筒に設けられた支持部に溶着して固定すると共に、溶着に伴って生じる操作部の変形により基板を操作部及び支持部で挟持する構成とすることにより、外側の鏡筒、内側の鏡筒及び基板の固定のためにネジなどの別部材を用いる必要がないため、部品点数を抑制でき、撮像装置のコストをより低減できる。また、ネジ止めのための機構を撮像装置に設ける必要がないため、撮像装置をより小型化することができる。
【００３０】
また、第５発明による場合は、内側の鏡筒を摺動させるための操作部を複数設ける構成とすることにより、外側の鏡筒に対する内側の鏡筒の摺動、及び操作部の外側の鏡筒への溶着等が行いやすいため、撮像装置の製造又は組立工程等にて、ピント調整並びに内側鏡筒及び外側鏡筒の溶着による固定が行いやすく、製造コスト又は組立コスト等を低減できる。
【００３１】
また、第６発明による場合は、第１鏡筒及び第２鏡筒の断面形状を非円形とすることにより、例えば車両に搭載される撮像装置が備える大型のレンズの不要な部分を切り欠いて非円形のレンズとして小型化した場合に、このレンズを保持することができるため、第１鏡筒及び第２鏡筒を小型化することができ、撮像装置を小型化することができる。
【発明を実施するための最良の形態】
【００３２】
以下、本発明をその実施の形態を示す図面に基づき具体的に説明する。図１は、本発明に係る撮像装置の構成を示す模式図であり、（ａ）に前面図を示し、（ｂ）に図１（ａ）のＩ−Ｉ線による側断面図を示してある。本発明に係る撮像装置は、複数のレンズよりなる前側レンズ群１０を保持する外側鏡筒１と、複数のレンズよりなる後側レンズ群１５を保持する内側鏡筒２０と、撮像素子３１が配設された基板３２と、撮像装置の後側を覆う後側カバー４０とを備えている。図２は、本発明に係る撮像装置の外側鏡筒１の構成を示す模式図であり、（ａ）に側断面図を示し、（ｂ）に後面図を示してある。なお、図２（ａ）は、図２（ｂ）のＩＩ−ＩＩ線による側断面図である。また、図３は、本発明に係る撮像装置の内側鏡筒２０の構成を示す模式図であり、（ａ）に側断面図を示し、（ｂ）に後面図を示してある。なお、図３（ａ）は、図３（ｂ）のＩＩＩ−ＩＩＩ線による側断面図である。また、図４は、本発明に係る撮像装置の基板３２の構成を示す模式図であり、（ａ）に側面図を示し、（ｂ）に後面図を示してある。
【００３３】
外側鏡筒１は、合成樹脂製であり、軸心に直交する方向の断面形状が略小判型の非円形をなす筒部２を有している。外側鏡筒１は、筒部２の一側（以下、前側という）端部近傍の内周面に、複数のレンズよりなる前側レンズ群１０を保持しており、筒部２の他側（以下、後側という）の端部には、外周面の一周に亘って鍔状をなす前側カバー３が一体的に形成してある。前側カバー３は、前面視で略矩形をなしており、前側カバー３の中心と筒部２の軸心とが若干ずれるようにして設けてある。前側カバー３の後面の縁部分には、前側カバー３の一周に亘って周壁部４が一体的に形成してあり、周壁部４の後端部分は外周面を凹ませて厚みを減じた嵌合部４ａが形成してある。外側鏡筒１の周壁部４に形成された嵌合部４ａは、後側カバー４０に嵌合するためのものである。
【００３４】
後側カバー４０は、外側鏡筒１の前側カバー３と略同形の底部４１と、底部４１の前面の縁部分に一周に亘って形成された周壁部４２とを有している。周壁部４２の端部は内周面を凹ませて厚みを減じた嵌合部４２ａが形成してあり、外側鏡筒１の嵌合部４ａと後側カバー４０の嵌合部４２ａとが嵌合することによって、外側鏡筒１の前側カバー３及び周壁部４と後側カバー４０の底部４１及び周壁部４２とにより撮像素子３１を搭載した基板３２を収容するための空間を形作るようにしてある。
【００３５】
外側鏡筒１に保持される前側レンズ群１０のうちの最前のレンズは、前側レンズ群１０及び後側レンズ群１５のレンズの中で最も大きなレンズであり、撮像装置の画角を１８０°又はそれ以上とすることを可能とする広角レンズである。ただし、車両に搭載される撮像装置、所謂車載カメラにおいては、路面に対する水平方向では１８０°程度の広い画角が要求されるが、垂直方向では９０°程度の画角を有しておれば十分であるため、最前のレンズは円形のレンズの不要部分を切り欠いた非円形、例えば略小判型にしてある。これにより、撮像装置の小型化、特に外側鏡筒１の筒部２の小型化を可能としている。
【００３６】
また、略矩形をなす前側カバー３の後面には、周壁部４の内側の四隅に基板３２を支持するための支持部がそれぞれ突設してある。４つの支持部のうちの２つは、略四角柱をなす四角支持部５、５であり、一部が周壁４の内周面に接合するように設けてある。残りの２つは、略三角柱をなす三角支持部６、６であり、周壁部４の内周面との間に隙間を隔てて設けてある。なお、三角支持部６、６は、断面形状が略直角二等辺三角形をなしている。
【００３７】
内側鏡筒２０は、合成樹脂製であり、軸心に直交する方向の断面形状が略小判型の非円形をなす筒部２１を有している。筒部２１は外側鏡筒１の筒部２内に後側から挿入して嵌合させることができるように、即ち内側鏡筒２０の筒部２１の外周形状と外側鏡筒１の筒部２の内周形状とが略同じとなるようにしてある。筒部２１の内部は略円形の貫通孔にしてあり、筒部２１内に後側レンズ群１５の複数のレンズが保持してある。筒部２１の後側の端部には、外周面の一周に亘って鍔状をなすベース部２２が一体的に形成してある。
【００３８】
ベース部２２は、略矩形の板体の対角をなす２つの角部分を落とした形状をなしており、ベース部２２の中心と筒部２１の軸心とが若干ずれるようにして設けてある。ベース部２２の中心と筒部２１の軸心とのずれ量は、外側鏡筒１の前側カバー３の中心と筒部２の軸心とのずれ量に略等しくしてある。ベース部２２の残された２つの角部分には、略直角二等辺三角形の三角開口２４、２４がそれぞれ形成してある。三角開口２４、２４は直角部分をベース部２２の角部分に合わせて形成してあり、ベース部２２の後面には、三角開口２４、２４の二等辺部分とベース部２２の縁部分との間に、略四角柱型の操作部２３、２３…がそれぞれ突設してある。即ち、ベース部２２の後面の２つの角部分には、それぞれ２つずつの操作部２３、２３…が突設してあり、ベース部２２の後面には合計４つの操作部２３、２３…が突設してある。
【００３９】
基板３２は、略矩形の板状をなしており、前面に撮像素子３１が配設してある。撮像素子３１は略矩形の板状をなしており（図４（ｂ）に破線で図示する）、撮像素子３１の中心と基板３２の中心とが若干ずれるようにして設けてある。なお、撮像素子３１の中心と基板３２の中心とのずれ量は、外側鏡筒１の前側カバー３の中心と筒部２の軸心とのずれ量に略等しくしてある。また、基板３２は、外側鏡筒１の周壁部４に囲まれた略矩形の領域より若干小さい略矩形にしてあり、対角をなす２つの角部分３３、３３は、縁に沿って凹ましてあり、基板３２の中心へ向けて他の部分より更に小さくしてある。
【００４０】
図５乃至図７は、本発明に係る撮像装置の組立方法を説明するための模式図であり、図５から図７へ時系列に組み立ての手順を図示してある。また、（ａ）に側断面図を示し、（ｂ）に後面図を示してあり、図５乃至図７の（ａ）に示す側断面図は、それぞれ各図の（ｂ）に示す後面図に付したＶ−Ｖ線、ＶＩ−ＶＩ線又はＶＩＩ−ＶＩＩ線による側断面図である。
【００４１】
撮像装置を組み立てる場合、まず、前側レンズ群１０を保持した外側鏡筒１の筒部２内に、後側レンズ群１５を保持した内側鏡筒２０の筒部２１を挿入して嵌合させる（図５参照）。外側鏡筒１の三角支持部６、６を内側鏡筒２０の三角開口２４、２４に挿通することができるようにしてあり、また、内側鏡筒２０のベース部２２は２つの角部分を落とした矩形状とし、外側鏡筒１の前側カバー３に突設された四角支持部５、５がベース部２２に接触しないようにしてあるため、四角支持部５、５及び三角支持部６、６に阻害されることなく内側鏡筒２０を外側鏡筒１に挿入することができるようにしてある。この状態では、内側鏡筒２０に突設された操作部２３、２３…を押引することで、内側鏡筒２０のベース部２２が外側鏡筒１の前側カバー３に当接するまで、内側鏡筒２０を外側鏡筒１に対して軸心方向にスライドさせることが可能である。
【００４２】
次いで、外側鏡筒１に突設された四角支持部５、５及び三角支持部６、６の突出端に、基板３２の撮像素子３１が配された面を当接させて、基板３２を四角支持部５、５及び三角支持部６、６に支持させる（図６参照）。このとき、基板３２の２つの角部分３３、３３を三角支持部６、６に当接させるようにしてあり、当接させた状態では、後面視で、三角支持部６、６の突出端面が、基板３２に全て覆い隠されることなく、一部が露出するようにしてある。内側鏡筒２０の操作部２３、２３…は三角開口２４、２４より外側に突設してあり、操作部２３、２３…に阻害されることなく基板３２を四角支持部５、５及び三角支持部６、６に支持させることができるようにしてある。また、操作部２３、２３…は、基板３２が四角支持部５、５及び三角支持部６、６に支持された状態であっても、基板３２の後側へ延出するように十分な長さとしてあり、基板３２の後側から操作部２３、２３…を押引して内側鏡筒２０を外側鏡筒１に対してスライドさせることができるようにしてある。
【００４３】
更に、基板３２を四角支持部５、５及び三角支持部６、６に支持させた状態で、基板３２を外側鏡筒１及び内側鏡筒２０の軸心、即ち前側レンズ群１０及び後側レンズ群１５の光軸に直交する平面内で移動させ、前側レンズ群１０及び後側レンズ群１５と撮像素子３１との位置合わせを行う。位置合わせの終了後、冶具などを用いて基板３２を外側鏡筒１に対して不動に固定する。次いで、基板３２より後側に延出する操作部２３、２３…を操作して内側鏡筒２０を軸心方向にスライドさせ、即ち後側レンズ群１５を光軸方向に移動させて、前側レンズ群１０、後側レンズ群１５及び撮像素子３１の位置を調整し、ピントの調整を行う。
【００４４】
ピントの調整を終了した後、ピントにずれが生じることがないように、内側鏡筒２０を外側鏡筒１に不動に固定する。内側鏡筒２０及び外側鏡筒１の固定は、内側鏡筒２０の操作部２３、２３…を超音波又は熱等により溶融させ、外側鏡筒１の三角支持部６、６に溶着することで行うようにしてある（図７参照）。内側鏡筒２０の操作部２３、２３…は基板３２の後側へ延出するようにしてあり、外側鏡筒１の三角支持部６、６は基板３２に覆い隠されることなく一部が露出するようにしてあるため、操作部２３、２３…の延出部分を超音波又は熱等により溶融させて変形させ、三角支持部６、６の露出部分に溶着させることができる。このとき、溶融した操作部２３、２３…を、三角支持部６、６に支持された基板３２の２つの角部分３３、３３の後面を覆うように変形させることで、操作部２３、２３…が硬化して三角支持部６、６の露出部分に溶着した後、硬化した操作部２３、２３…と三角支持部６、６との間で基板３２が挟持され、基板３２を不動に固定することができるようにしてある。
【００４５】
内側鏡筒２０には４つの操作部２３、２３…が設けられているため、操作部２３、２３…を三角支持部６、６に溶着する場合、いずれかの操作部２３、２３…を冶具で保持してピントにずれが生じることを防止し、他の操作部２３、２３…を超音波又は熱等により溶融させて三角支持部６、６に溶着し、この操作部２３、２３…が硬化した後で、冶具により保持していた操作部２３、２３…を溶融させて溶着することができる。よって、操作部２３、２３…を三角支持部６、６に溶着する作業中に、調整したピントにずれが生じる虞はない。
【００４６】
内側鏡筒２０を外側鏡筒１に溶着して固定した後、後側カバー４０を外側鏡筒１に嵌合させて取り付けることにより、撮像装置の組み立てが完了する（図１参照）。外側鏡筒１及び後側カバー４０の固定は、同様に溶着にて行ってもよく、接着剤などを用いて接着してもよく、ネジ止めなどにより固定してもよい。
【００４７】
以上の構成の撮像装置においては、外側鏡筒１の内部で内側鏡筒２０をスライドさせて軸心方向に位置を調整することができる構成であるため、外側鏡筒１及び内側鏡筒２０の断面形状を非円形とすることができ、撮像装置を小型化することができる。また、外側鏡筒１に内側鏡筒２０を嵌合させ、外側鏡筒１の四角支持部５、５及び三角支持部６、６に基板３２を支持させた場合に、内側鏡筒２０の操作部２３、２３…が基板３２の後側へ延出する構成とすることにより、基板３２を支持させた後であっても、容易に内側鏡筒２０をスライドさせてピントの調整を行うことができる。
【００４８】
また、外側鏡筒１及び内側鏡筒２０を合成樹脂製とし、内側鏡筒２０の操作部２３、２３…を外側鏡筒１の三角支持部６、６に溶着する構成とすることにより、外側鏡筒１及び内側鏡筒２０の固定にネジなどの別部材を用いる必要がないため、部品点数を削減することができ、撮像装置のコストを削減することができる。また、四角支持部５、５及び三角支持部６、６に支持された基板３２を、溶着のために変形させた操作部２３、２３…と三角支持部６、６の端面とで挟持して固定する構成とすることにより、基板３２の固定にネジなどの別部材を用いる必要がないため、更に部品点数を削減することができる。また、内側鏡筒２０に操作部２３、２３…を４つ設ける構成とすることにより、いずれかの操作部２３、２３…を溶着させる際に、別の操作部２３、２３…を冶具で保持してピントにずれが生じることを防止することができるため、操作部２３、２３…及び三角支持部６、６の溶着作業が行いやすい。
【００４９】
なお、本実施の形態においては、外側鏡筒１の筒部２及び内側鏡筒２０の筒部２１の断面形状を非円形としたが、これに限るものではなく、円形であってもよい。また、内側鏡筒２０に操作部２３、２３…を４つ設ける構成としたが、これに限るものではなく、５つ以上又は３つ以下の操作部を設ける構成としてもよい。ただし、操作部２３、２３…は２つ以上設けることが望ましい。また、内側鏡筒２０の操作部２３、２３…を外側鏡筒１の三角支持部６、６に溶着する構成としたが、これに限るものではなく、操作部２３、２３…を外側鏡筒１の他の部分に溶着する構成としてもよい。また、外側鏡筒１及び内側鏡筒２０を溶着により固定する構成としたが、これに限るものではなく、接着剤などを用いて固定する構成としてもよく、ネジ止めする構成であってもよい。また、前側レンズ群１０の最前のレンズを広角レンズとし、撮像装置の画角を１８０°又はそれ以上としたが、これに限るものではなく、前側レンズ群１０の最前のレンズは広角レンズ以外のレンズであってもよく、撮像装置の画角が１８０°以下であってもよい。また、前側レンズ群１０の最前のレンズを略小判型としたが、これに限るものではなく、円形又は矩形等の他の形状であってもよい。
【００５０】
（変形例）
図８は、本発明の変形例に係る撮像装置の構成を示す模式的断面図である。図１に示した撮像装置においては、前側レンズ群１０を外側鏡筒１にて保持し、後側レンズ群１５を内側鏡筒２０にて保持する構成であるが、変形例に係る撮像装置は、前側レンズ群２１０を内側鏡筒２０１にて保持し、後側レンズ群２１５を外側鏡筒２２０にて保持する構成である。
【００５１】
内側鏡筒２０１は、外側鏡筒２２０内に前側から挿入されて内嵌し、外側鏡筒２２０内で軸心方向に摺動できるようにしてある。また、内側鏡筒２０１の後側端には棒状の操作部２０２が後側へ向けて延出するように設けてある。
【００５２】
外側鏡筒２２０は、前側の内径が大きく後側の内径が小さくなるように、筒内の途中で段階的に内径を縮径しある。外側鏡筒２２０の前側には内側鏡筒２０１を収容し、後側には後側レンズ群２１５を保持するようにしてあり、内径が小さい部分には軸心に平行に内側鏡筒２０１の操作部２０２が挿通するための貫通孔が形成してある。また、外側鏡筒２２０の後側端には撮像素子３１が搭載された基板３２を支持する支持部２２１が後側へ向けて突設してある。
【００５３】
内側鏡筒２０１を前側から外側鏡筒２２０内へ挿入し、内側鏡筒２０１の操作部２０２を外側鏡筒２２０の貫通孔を挿通して外側鏡筒２２０の後側へ延出させた場合、外側鏡筒２２０の後側端に設けられた支持部２２１の突出端より操作部２０２が十分後方へ延出するようにしてあり、基板３２には操作部２０２の後方への延出を妨げないように貫通孔又は切り欠き等が形成してある。
【００５４】
これにより、外側鏡筒２２０の支持部２２１に基板３２を支持させた後、操作部２０２を操作して内側鏡筒２０１を軸心方向に摺動させることができ、前側レンズ群２１０及び後側レンズ群２１５の位置調整、即ちピント調整を行うことができる。ピント調整の終了後は、内側鏡筒２０１の操作部２０２を外側鏡筒２２０の例えば支持部２２１に溶着して固定することができる。このとき、支持部２２１に支持された基板３２を操作部２０２及び支持部２２１が挟み込むように溶着を行って、基板３２を固定する構成とすることが望ましい。この構成に関しては詳細を省略するが、図１〜図７に示した撮像装置と同様の構成を適用することができる。
【００５５】
以上により、前側レンズ群２１０を内側鏡筒２０１にて保持し、後側レンズ群２１５を外側鏡筒２２０にて保持する構成の撮像装置であっても、図１に示すような前側レンズ群１０を外側鏡筒１にて保持し、後側レンズ群１５を内側鏡筒２０にて保持する構成の撮像装置と同様の効果を得ることができる。
【図面の簡単な説明】
【００５６】
【図１】本発明に係る撮像装置の構成を示す模式図である。
【図２】本発明に係る撮像装置の外側鏡筒の構成を示す模式図である。
【図３】本発明に係る撮像装置の内側鏡筒の構成を示す模式図である。
【図４】本発明に係る撮像装置の基板の構成を示す模式図である。
【図５】本発明に係る撮像装置の組立方法を説明するための模式図である。
【図６】本発明に係る撮像装置の組立方法を説明するための模式図である。
【図７】本発明に係る撮像装置の組立方法を説明するための模式図である。
【図８】本発明の変形例に係る撮像装置の構成を示す模式的断面図である。
【図９】従来の撮像装置の構成を示す模式的断面図である。
【符号の説明】
【００５７】
１  外側鏡筒（第１鏡筒、外側の鏡筒）
２  筒部
３  前側カバー
４  周壁部
５  四角支持部
６  三角支持部
１０  前側レンズ群
１５  後側レンズ群
２０  内側鏡筒（第２鏡筒、内側の鏡筒）
２１  筒部
２２  ベース部
２３  操作部
２４  三角開口
３１  撮像素子
３２  基板
３３  角部分
２０１  内側鏡筒（第１鏡筒、内側の鏡筒）
２０２  操作部
２１０  前側レンズ群
２１５  後側レンズ群
２２０  外側鏡筒（第２鏡筒、外側の鏡筒）
２２１  支持部
【図１】
2008090180.tif 000003
【図２】
2008090180.tif 000004
【図３】
2008090180.tif 000005
【図４】
2008090180.tif 000006
【図５】
2008090180.tif 000007
【図６】
2008090180.tif 000008
【図７】
2008090180.tif 000009
【図８】
2008090180.tif 000010
【図９】
2008090180.tif 000011